(57)【要約】 【課題】  本発明は、竪平屋根において、座禅草と称する垂直面部と傾斜面部とから成る杆材製の雪止め具を取付けるための手段を提供することを目的とする。 【解決手段】  全体が略直角三角形状に成る杆材製の雪止め部材１，１の底面部３の前側中央部に左右対称の基板を設置し、この両基板上に垂直板１１と他垂直板１５をそれぞれ立設し、前記両垂直板の中央部１２，１６に設けた通孔間に雄螺子１９を挿通して雌螺子２０を螺合することにより竪平屋根面部を挟合した両垂直板を緊締し、本雪止め部材を竪平屋根面部に固定するように成る竪平屋根用雪止め具である。【選択図】    図１
2017057606.tif 000002
【特許請求の範囲】
【請求項１】
全体が略直角三角形状に成る杆材製の雪止め部材の底面部の前側中央部に左右対称の基板を設置し、この両基板上に垂直板と他垂直板をそれぞれ立設し、前記両垂直板の中央部に設けた通孔間に雄螺子を挿通して雌螺子を螺合することにより竪平屋根面部を挟合した両垂直板を緊締し、本雪止め部材を竪平屋根面部に固定するように成ることを特徴とする竪平屋根用雪止め具。
【請求項２】
前記構成から成る雪止め部材を複数個設置して成る請求項１に記載した竪平屋根用雪止め具。
【請求項３】
一方の垂直板の底辺部内側に爪部を設け、この爪部は他垂直板の底辺部内側に設けた爪部と竪平屋根面部を挟んで対抗するよう位置して成る請求項１に記載した竪平屋根用雪止め具。
【発明の詳細な説明】
【技術分野】
【０００１】
本発明は、竪平屋根において取付ける雪止め具に関するものである。
【背景技術】
【０００２】
本発明の出願人は、日本家屋における屋根面の美観を考慮して、従来からの羽根板材によって構成された雪止め部材についての発想を転換し、金属杆材によって構成した下記文献（１）（２）に示した雪止め装置を提供して来たが、これらは特に竪平屋根において取付けることができる雪止め具ではなかった。
【先行技術文献】
【特許文献】
【０００３】
【特許文献１】特開２０１２−２２９６０２号
【特許文献２】特願２０１４−２１３１６１号（先願）
【発明の概要】
【発明が解決しようとする課題】
【０００４】
そこで、本発明は、特に竪平屋根において、座禅草（出願人の登録商標第５４７９５９７号）と称する垂直面部と傾斜面部とから成る杆材製の雪止め具を取付けるための手段を提供することを目的とするものである。
【課題を解決するための手段】
【０００５】
本発明は、全体が略直角三角形状に成る杆材製の雪止め部材の底面部の前側中央部に左右対称の基板を設置し、この両基板上に垂直板と他垂直板をそれぞれ立設し、前記両垂直板の中央部に設けた通孔間に雄螺子を挿通して雌螺子を螺合することにより竪平屋根面部を挟合した両垂直板を緊締し、本雪止め部材を竪平屋根面部に固定するように成るものである。
【発明の効果】
【０００６】
第１に、竪平屋根面の任意位置に本雪止め部材を多数取付けた光景によって、殺風景な竪平屋根面において美観が展開されるようになる。
【０００７】
第２に、取付け作業を行う者は、その取付具が杆材製の雪止め部材の内部ではなく、すべて外部に露出状態にあるから、その取付け作業に支障はなく、常に迅速かつ的確に取り付ける作業を行うことができるようになる。
【０００８】
第３に、竪平屋根面部に本雪止め部材が取付けられた後において、積雪による重力が加わって滑落状態が起ろうとしたときには、雪止め部材内部における取付け部材は両垂直板底辺部にある両爪部の竪平屋根面部への作用によって、緊締雄雌螺子部の弛緩と離脱の発生を阻止し、積雪の滑落による故障を未然に防止することになる。
【図面の簡単な説明】
【０００９】
【図１】全体の完成状態を示す斜視図
【図２】図１の平面図
【図３】図１の一部拡大の正面図
【図４】図３の左側面図
【図５】図３の右側面図
【図６】２つの基板材を対置した平面図
【図７】図６の両基板材を対置した中央部から見た各側面図
【図８】一垂直板部の正面図
【図９】図８の平面図
【図１０】図８の右側面図
【図１１】図８のＡ−Ａ線の側断面図
【図１２】他垂直板の正面図
【図１３】図１２の平面図
【図１４】図１２の右側面図
【図１５】図１２のＢ−Ｂ線の側断面図
【図１６】要部の緊締状態を示す一部断面の正面図
【発明を実施するための形態】
【００１０】
本発明にかかる雪止め部材の全体は、側面視略三角形状の杆材から成るものであるところ、その取付部材は２つの同形状の垂直板が相対して左右の基板上に一体に立設しかつ両垂直板が竪平屋根面部を確実に挟み込むことになる。
【００１１】
そこで、本雪止め部材を竪平屋根面部に取付けるためには、雪止め部材の傾斜面部と底面部とが接する正面部中央に突設している本取付部材側面に臨設する両垂直板の中央部間に挿通している雄螺子に対し雌螺子を緊締螺着することによって、本雪止め部材を竪平屋根面部に固定する。
【実施例１】
【００１２】
１は全体が垂直部２と底面部３と傾斜面部４の側面視略直角三角形状に成る金属杆材製の雪止め部材であるが、その垂直部の杆材高さと角度や底面部の杆材長さや傾斜面部の杆材の角度と長さは任意である。
【００１３】
雪止め部材の全体の形状は、必ずしも略直角三角形状ではなくても、垂直部がやや傾斜面になっても、傾斜面部が二段式になっても、その雪止め効果を発揮する構成からなるものであればよい。
【００１４】
５，５・・は前記雪止め部材１の垂直部２及び底面部３において左右両側部間に架設した支杆で、この各支杆の端部間には側杆６，６を架設する。
【００１５】
７，７はそれぞれ全体が縦面部８，８とこの縦面部の一端部から外方に長く延長する水平面部９，９と中間部から外方に短く延長する中間面部１０，１０をそれぞれ設けている基板で、この両基板は竪平屋根部の屋根面上では左右対称に並置するようになる。（図６参照）
【００１６】
８’，８’は前記縦面部８，８の中央部内側に形成する凹面部で、この凹面部には後記垂直板１１の底辺部の曲折部１４，１４や後記他垂直部１５の底辺部の曲折部１８，１８が装着するようになる。
【００１７】
１１は一方の前記基板７の縦面部８の内側凹部に底辺部を装着して立設する台形状に成る垂直板で、この垂直板の周縁には補強部を形成し、その中央部１２は凸面形に成るとともに２つの通孔１３，１３を設けている。
【００１８】
１４，１４は前記垂直板１１の底辺部に外向した曲折部で、この曲折部は前記一方の基板７に縦面部８に形成した前記凹面部８’，８’に嵌合して固着する。
【００１９】
１５は他方の前記基板１の垂直部２の内側部に固着する略台形状に成る他垂直板で、この他垂直板の周縁には補強部を形成し、その中央部１６は凸形状に成るとともに２つの通孔１７，１７を設けている。
【００２０】
１５’は前記他垂直板の上端中央部の内方向への突出部である。
【００２１】
１８，１８は前記他垂直板１５の底辺部の外向に設けた曲折部で、この曲折部は他方の基板７に形成した前記凹面部８’，８’に装着する。
【００２２】
１９，１９は前記垂直板１１の通孔１３，１３と他垂直板１５の通孔１７，１７との間に挿通する雄螺子で、この雄螺子を両垂直板により竪平屋根面ａを左右両側方から挟合したとき、両垂直板１１，１５の中央部において雌螺子２０，２０との螺合によって緊締固定するようになる。（図１６参照）
【００２３】
２１，２１は一方の垂直板１１の底辺部内側に設けた爪部で、この爪部の対抗する反対位置には他垂直板１５の底辺部内側に設けた爪部２２，２２がある。
【００２４】
前記両垂直板１１，１５の中間位置の雄螺子１９，１９には、薄発条板を介装して緩衝効果を与えるようにし、螺締作業が円滑にできるようにするとよい。
【００２５】
前記両垂直板１１，１５の立設位置は、その雄雌螺子１９，１９，２０，２０の周囲はすべて開放状態部になっているから、作業員は自由に作業工具を使用して雌螺子２０，２０を緊締作業すればよい。
【００２６】
本発明に係る実施例としては、取付具の使用数は、竪平屋根面に取付けたい雪止め部材の大きさの違いによって、一雪止め部材の所定位置に複数個を間隔をおいて具備した取付具を使用するようにしてもよいが、その取付け手段は単数の雌雄螺子によるものと同じである。
【符号の説明】
【００２７】
１，１                        雪止め部材
２                            垂直部
３                            底面部
４                            傾斜面部
５，５・・                    支杆
６，６                        側杆
７，７                        基板
８，８                        縦面部
８’，８’                    凹部
９                            水平面部
１０，１０                    中間面部
１１                          垂直板
１２                          中央部
１３，１３                    通孔
１４，１４，１４，１４        曲折部
１５                          他垂直板
１５’                        突出部
１６                          中央部
１７，１７                    通孔
１８，１８，１８，１８        曲折部
１９，１９                    雄螺子
２０，２０                    雌螺子
２１，２１                    垂直板１１の爪部
２２，２２                    他垂直板１５の爪部
ａ                            竪平屋根面
【図１】
2017057606.tif 000003
【図２】
2017057606.tif 000004
【図３】
2017057606.tif 000005
【図４】
2017057606.tif 000006
【図５】
2017057606.tif 000007
【図６】
2017057606.tif 000008
【図７】
2017057606.tif 000009
【図８】
2017057606.tif 000010
【図９】
2017057606.tif 000011
【図１０】
2017057606.tif 000012
【図１１】
2017057606.tif 000013
【図１２】
2017057606.tif 000014
【図１３】
2017057606.tif 000015
【図１４】
2017057606.tif 000016
【図１５】
2017057606.tif 000017
【図１６】
2017057606.tif 000018